【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  少なくとも１つの送信機および少なくとも１つの受信機を含む通信システムにおいて、送信機から送信され、受信機において受信されたデータの中から周波数同期信号の位置を決定する方法は、
a) 送信機から送信され、受信機において検出された信号を表すピーク値を計算により求めるステップと、
b) 送信機の搬送波周波数と受信機の周波数基準との間の周波数オフセットを推定するステップと、
c) 推定された周波数オフセットを用いて品質指数を推定するステップと、
d) ピーク値と品質指数とがそれぞれピーク及び品質の予め定められたしきい値条件を満たすか否かを決定するステップと、
e) 予め定められたしきい値条件の両方が満たされているときは、ピーク値、周波数オフセット、および品質指数を蓄積して、上記ステップa)-d)を繰り返すステップと、
f) 上記しきい値条件のうちのいずれか一つでも満たされないときは、蓄積されたピーク値および蓄積された品質指数の位置を周波数同期信号の位置として決定するステップと
を含むことを特徴とする方法。
【請求項２】  上記決定のステップ(d)は、ピーク値がピークしきい値以上であるかを決定するとともに、品質指数が品質しきい値以下であるかを決定することを含む請求項１に記載の方法。
【請求項３】  上記しきい値条件のうちのいずれか一つでも満たされないときは、蓄積された最大のピーク値および蓄積された最小の品質指数の位置を周波数同期信号の位置として決定することを特徴とする請求項１に記載の方法。
【請求項４】  予め定められたしきい値条件の両方が満たされているときは、計算により求められた後続のピーク値が、蓄積されているピーク値を超えるか否かを決定し、超えるならば、蓄積されているピーク値、周波数オフセット、および品質指数をそれぞれ後続の値へと更新するステップをさらに含むことを特徴とする請求項１に記載の方法。
【請求項５】  周波数オフセットと品質指数とをピーク値と同期させるステップをさらに含むことを特徴とする請求項１に記載の方法。
【請求項６】  上記のピーク値を計算により求めるステップは、
受信信号の同相成分を遅延させ、
受信信号の同相成分と直交成分との積を、予め定められた数だけ計算し、
相互相関ピーク値の推定値を生成すべく、遅延された同相成分と直交成分と積を平滑化することを特徴とする請求項１に記載の方法。
【請求項７】  上記周波数オフセットを推定するステップにおいて、
g) 送信機から送信され、受信機により検出された信号について連続して収集されたサンプル間の位相差を決定するステップと、
h) 上記位相差を蓄積された位相差に加算するステップと、
i) M個の蓄積された位相差が加算されるまで、g)-i)のステップを繰り返すステップと、
j) 蓄積された位相差が結果として０となるように、M個の蓄積された位相差の和をダンプするステップと、
k) M個の蓄積された位相差の和をN個得られるまでg)-j)のステップを繰り返すステップと、
l) 推定された周波数オフセットを生成すべく、M個の蓄積された位相差の和N個を加算するステップと
を含むことを特徴とする請求項１に記載の方法。
【請求項８】  上記品質指数を推定するステップにおいて、
M個の蓄積された位相差についてのN個ある和の一つと、推定された周波数オフセットとの差をN個計算し、
N個の差について絶対値をとり、
推定された品質指数を生成るために上記絶対値を加算することを特徴とする請求項７に記載の方法。
【請求項９】  指数Mで周波数オフセットと品質指数を展開するステップをさらに含むことを特徴とする請求項８に記載の方法。
【請求項１０】  少なくとも１つの送信機および少なくとも１つの受信機を含む通信システムにおいて、送信機から送信され、受信機において受信されたデータの中から周波数同期信号の位置を決定する装置であって、
計算により求められたピーク値と推定された品質指数とが予め定められたしきい値条件を満たすか否かを決定するための比較回路と、
予め定められたしきい値条件の両方が満たされているときは、ピーク値と品質指数とを蓄積するメモリとを含み、
上記しきい値条件のうちのいずれか一つでも満たされないときは、周波数同期信号の位置を蓄積されたピーク値および蓄積された品質指数の位置へと一致させることを特徴とする装置。
【請求項１１】  上記比較回路は、ピーク値がピークしきい値以上であるかを決定するとともに、品質指数が品質しきい値以下であるかを決定することを特徴とする請求項１０に記載の装置。
【請求項１２】  上記しきい値条件のうちのいずれか一つでも満たされないときは、蓄積された最大のピーク値および蓄積された最小の品質指数の位置を周波数同期信号の位置として決定することを特徴とする請求項１０に記載の装置。
【請求項１３】  予め定められたしきい値条件の両方が満たされているときは、上記比較回路は、計算により求められた後続のピーク値が、蓄積されているピーク値を超えるか否かを決定し、超えるならば、蓄積されているピーク値、周波数オフセット、および品質指数をそれぞれ後続の値へと更新することを特徴とする請求項１０に記載の装置。
【請求項１４】  周波数オフセットと品質指数とをピーク値と同期させる手段をさらに含むことを特徴とする請求項１０に記載の装置。
【請求項１５】  受信信号の同相成分を遅延させる遅延素子と、
受信信号の同相成分と直交成分との積を予め定められた数だけ計算する乗算器と、
相互相関ピーク値の推定値を生成すべく上記積を平滑化する平滑回路とをさらに含むことを特徴とする請求項１０に記載の装置。
【請求項１６】  送信機から送信され、受信機により検出された信号について連続して収集されたサンプル間の位相差を計算する微分器と、
上記位相差を蓄積された位相差に加算し、蓄積された位相差がM個になるまで加算し、蓄積された位相差が結果として０となるように、M個の蓄積された位相差の和をダンプする加算器と、
ダンプされたM個の蓄積された位相差の和を受け取り、推定された周波数オフセットを生成すべく、M個の蓄積された位相差について和を合計でN個加算する周波数オフセット推定回路と、を含み、
前記微分器は連続して収集されたサンプル間の位相差の計算を継続し、上記加算器は、位相差の蓄積と加算と、M個の差のダンプを、M個の差を加算して得られる和が合計でN個得られるまで繰り返すことを特徴とする請求項１０に記載の装置。
【請求項１７】  M個の蓄積された位相差についてのN個ある和の一つと、推定された周波数オフセットとの差を計算するN個の差分器と、
N個の差について絶対値を計算する計算回路と、
推定された品質指数を生成るために上記絶対値を加算する加算器とをさらに含むことを特徴とする請求項１６に記載の装置。
【請求項１８】  指数Mで周波数オフセットと品質指数を展開する展開手段をさらに含むことを特徴とする請求項１７に記載の装置。
【請求項１９】  送信機から送信され、受信機において受信されたデータの中から周波数同期信号の位置を決定するシステムであって、
ピーク値を計算するピーク値計算システムと、
周波数オフセットを推定する周波数オフセット推定システムと、
品質指数を推定するシステム品質指数推定システムと、
ピーク値と品質指数とが予め定めされたピークしきい値と品質しきい値の条件を満たすか否かを決定する決定手段と、
予め定められたしきい値条件の両方が満たされているときは、ピーク値と品質指数とを蓄積する蓄積手段と、を含み、
上記しきい値条件のうちのいずれか一つでも満たされないときは、周波数同期信号の位置を蓄積されたピーク値および蓄積された品質指数の位置へと一致させることを特徴とするシステム。
【請求項２０】  上記決定手段は、ピーク値がピークしきい値以上であるかを決定するとともに、品質指数が品質しきい値以下であるかを決定することを特徴とする請求項１９に記載のシステム。
【請求項２１】  上記周波数同期信号の位置を蓄積された最大のピーク値および蓄積された最小の品質指数の位置と一致させることを特徴とする請求項１９に記載のシステム。
【請求項２２】  予め定められたしきい値条件の両方が満たされているときは、上記比較回路は、計算により求められた後続のピーク値が、蓄積されているピーク値を超えるか否かを決定し、超えるならば、蓄積されているピーク値、周波数オフセット、および品質指数をそれぞれ後続の値へと更新することを特徴とする請求項１９に記載のシステム。
【請求項２３】  周波数オフセットと品質指数とをピーク値と同期させる手段をさらに含むことを特徴とする請求項１９に記載のシステム。
【請求項２４】  上記ピーク値計算システムは、
受信信号の同相成分を遅延させる遅延素子と、
受信信号の同相成分と直交成分との積を予め定められた数だけ計算する乗算器と、
相互相関ピーク値の推定値を生成すべく上記積を平滑化する平滑回路と、
を含むことを特徴とする請求項１９に記載のシステム。
【請求項２５】  上記周波数オフセット推定システムは、
送信機から送信され、受信機により検出された信号について連続して収集されたサンプル間の位相差を計算する微分器と、
上記位相差を蓄積された位相差に加算し、蓄積された位相差がM個になるまで加算し、蓄積された位相差が結果として０となるように、M個の蓄積された位相差の和をダンプする加算器と、
ダンプされたM個の蓄積された位相差の和を受け取り、推定された周波数オフセットを生成すべく、M個の蓄積された位相差について和を合計でN個加算する周波数オフセット推定回路と、を含み、
前記微分器は連続して収集されたサンプル間の位相差の計算を継続し、上記加算器は、位相差の蓄積と加算と、M個の差のダンプを、M個の差を加算して得られる和が合計でN個得られるまで繰り返すことを特徴とする請求項１９に記載のシステム。
【請求項２６】  上記品質推定システムは、
M個の蓄積された位相差についてのN個ある和の一つと、推定された周波数オフセットとの差を計算するN個の差分器と、
N個の差について絶対値を計算する計算回路と、
推定された品質指数を生成るために上記絶対値を加算する加算器と、
を含むことを特徴とする請求項２５に記載のシステム。
【請求項２７】  指数Mで周波数オフセットと品質指数を展開する展開手段をさらに含むことを特徴とする請求項２６に記載のシステム。